(57)【要約】【課題】一般住宅のみならず、比較的大きな空間を有する建物の内壁等に生じる結露をも防止あるいは緩和できる床構造を提供する。【解決手段】建物１内に設けられる床構造であって、所定厚みで設けられた通気性のある砕石層１０と、上記砕石層の上に積層形成された通気性のある床層１１と、通気性のある多孔質体から形成されるとともに上記床層の上に積層された表面層１２，１３と、上記砕石層内の空気を流動させて処理できる空気流動処理手段１５とを備え、上記建物内の空気を、上記表面層及び上記床層を介して上記砕石層に導くとともに、上記空気流動処理手段によって処理するように構成した。【選択図】図３
2011252270.tif 000002
【特許請求の範囲】
【請求項１】
建物内に設けられる床構造であって、
所定厚みで設けられた通気性のある砕石層と、
上記砕石層の上に積層形成された通気性のある床層と、
通気性のある多孔質体から形成されるとともに上記床層の上に積層された表面層と、
上記砕石層内の空気を流動させて処理できる空気流動処理手段とを備え、
上記建物内の空気を、上記表面層及び上記床層を介して上記砕石層に導くとともに、上記空気流動処理手段によって処理するように構成した、床構造。
【請求項２】
上記空気流動処理手段は、上記砕石層内の空気を建物外へ排気処理し、又は除湿処理して循環流動させるように構成されている、請求項１に記載の床構造。
【請求項３】
上記空気流動処理手段は、上記砕石層内の空気を流入させるとともに、流動させる配管を備えて構成されている、請求項１又は請求項２のいずれかに記載の床構造。
【請求項４】
上記砕石層の下に、防水層が設けられている、請求項１から請求項３のいずれか１項に記載の床構造。
【請求項５】
上記床層は、透水性アスファルト又は透水性コンクリートから形成されている、請求項１から請求項４のいずれかに記載の床構造。
【請求項６】
上記配管は、上記砕石層内及び／又は上記配管内において凝縮した水分を流動させるとともに、建物外へ排出できるように構成されている、請求項３に記載の床構造。
【請求項７】
上記空気流動処理手段は、砕石層内を流れる空気を加熱又は冷却できるように構成されている、請求項１から請求項６のいずれか１項に記載の床構造。
【請求項８】
上記空気流動処理手段は、上砕石層内の空気を強制流動させるファンを備えて構成されている、請求項１から請求項７のいずれか１項に記載の床構造。
【請求項９】
上記空気流動処理手段は、上記砕石層内を流れる空気を除湿する除湿装置を備える、請求項１から請求項８のいずれか１項に記載の床構造。
【請求項１０】
上記配管が、上記建物の壁に沿って設けられている、請求項３に記載の床構造。
【請求項１１】
建物内側の結露を防止する結露防止方法であって、
建物内の空気を通気性のある床部を介して下方に設けた砕石層に流動させ、
上記砕石層に流入した空気を建物外へ排出し、又は除湿して循環流動させる、建物の結露防止方法。
【請求項１２】
上記砕石層内で、空気中の蒸気を凝縮させて除湿する、請求項１１に記載の建物の結露防止方法。
【請求項１３】
砕石層内に配管を設け、この配管に砕石層内の空気を流入させるとともに流動させる、請求項１１又は請求項１２のいずれかに記載の建物の結露防止方法。
【請求項１４】
上記砕石層内の空気を、加熱又は冷却する、請求項１１から請求項１３のいずれか１項に記載の建物の結露防止方法。
【発明の詳細な説明】
【技術分野】
【０００１】
本願発明は、建物の結露防止方法に関する。詳しくは、大きな室内空間を有する建物内壁等に生じる結露を防止するのに好適な建物の結露防止方法に関する。
【背景技術】
【０００２】
空気中に含むことができる水蒸気量（飽和水蒸気量）は温度によって異なる。飽和水蒸気量は、温度が高いほど多くなる。一方、飽和水蒸気量を含んだ空気の温度が低下すると、水蒸気の一部が凝縮して液体となり結露が生じる。
【０００３】
建物内の結露を防止するために種々の手法が採用されている。たとえば、建物外壁を断熱構造として建物内の空気が部屋内壁の表面等で冷却されないように構成したり、外壁を二重構造として、内部空間に空気を流動させるとともに、壁部及び上記内部空間を介して水蒸気を屋外に排出する通気壁構造等の手法が採用されている。
【先行技術文献】
【特許文献】
【０００４】
【特許文献１】特開２００２−３７１６４１号公報
【発明の概要】
【発明が解決しようとする課題】
【０００５】
従来の結露防止法は主として壁等の断熱性を高めるものが多い。ところが、室内の壁面や天井をすべて均一に断熱するのは不可能である。このため、いずれかの部位に結露が集中するといった問題が生じやすい。結露が生じると、黴が発生したり建物が傷みやすくなるばかりでなく、コンピュータ装置等の電子機器に障害が生じやすくなる。
【０００６】
たとえば、壁部はある程度の厚みを確保できるため、断熱材等を充填して断熱性を高めることができるが、窓等は壁面に比べて断熱性が低い。このため、窓部等に結露が集中しやすい。また、壁部や窓部の下部の内面温度が低下しやすいことから、床部近傍の壁面等に結露が生じやすい。
【０００７】
また、換気を行うことにより室内の湿度を低下させることができるが、外気を取り入れる通路の近傍が冷却されて結露が生じるといった問題が発生する。
【０００８】
さらに、通気壁構造を採用することにより、室内の温度変化を緩和しつつ換気を行って結露を防止できるが、室内の全ての壁面を通気壁構造にするのは困難であり、また、建築費用が増大することになる。
【０００９】
また、従来の結露防止方法は住宅の居室用のものが多く、対象となる室内空間が比較的小さい場合が多かった。
【００１０】
一方、多数の人が集まる集会所やホール等では、室内空間が大きいため、壁部に断熱性を持たせたり、換気等によって室内空気の湿度を下げる他なかった。このため、発生蒸気量が多いと、内壁や窓の内面に多量の結露が生じやすかった。
【００１１】
特に、通常は物置や駐車場として利用されており、臨時に集会所等として利用するような建物においては、壁部等の断熱性は低く抑えられており、このような建物を集会場等として利用する場合には、壁等に多量の結露が発生して建物を傷める等の問題が生じる。たとえば、税務署等においては、通常駐車場として利用する建物を、税金申告時期には申告会場として利用することが多い。税金の申告時期は冬期であるため、暖房が行われるとともに多数の人が建物内に入るため湿度が高まって、窓部のみならず、壁内面や床面に非常に多量の結露が発生し、床面で結露した水分によって滑ったり、壁面等の結露によって建物を傷めるといった問題があった。
【００１２】
本願発明は、一般住宅のみならず、比較的大きな空間を有する建物の内壁等に生じる結露を防止あるいは緩和できる床構造を提供するものである。
【課題を解決するための手段】
【００１３】
本願の請求項１に記載した発明は、建物内に設けられる床構造であって、所定厚みで設けられた通気性のある砕石層と、上記砕石層の上に積層形成された通気性のある床層と、通気性のある多孔質体から形成されるとともに上記床層の上に積層された表面層と、上記砕石層内の空気を流動させて処理できる空気流動処理手段とを備え、上記建物内の空気を、上記表面層及び上記床層を介して上記砕石層に導くとともに、上記空気流動処理手段によって処理するように構成したものである。
【００１４】
上記砕石層の空隙率は、特に限定されることはなく、建物の床部を力学的に支持できるとともに、所要の通気性を確保できればよい。また、建物の床部の支持強度を高めるとともに、通気性を調整するため、砕石層に砂を配合したり、再生層の下部に砂層を設けてもよい。
【００１５】
上記砕石層に採用できる砕石は、岩石を砕いて所定の粒度に調整したものであり、本願発明では、種々の砕石を採用することができる。たとえば、道路の路盤を構成する砕石等を利用することができる。対象となる建物空間の大きさや利用目的等に応じて種々の粒度の砕石を採用することができる。また、複数の流動の砕石を混合調整して、所要の通気性を持たせることができる。また、通気性の異なる複数の砕石層を設けて、通気性を調整しても良い。
【００１６】
上記砕石層の厚みは、建物室内の大きさや利用目的、要求される床強度等に応じて設定できる。上記砕石層内では、空気を横方向（水平方向）に流動させる必要があるため、１０〜３０ｃｍの厚みに設定するのが好ましい。
【００１７】
上記砕石層を設けることにより、床部を確実に支持できるとともに、砕石層内で空気を容易に流動させることが可能となる。
【００１８】
上記床層は、通気性を備えるとともに、上記砕石層に積層して形成される。上記床層を構成する材料は特に限定されることはない。また、通気性の程度は、室内の大きさや発生蒸気量等に応じて設定することができる。さらに、床表面で結露した水分が通過できる透水性を備えて構成するのが好ましい。たとえば、透水性の床層を構成する材料として多孔質セラミック材料等を採用することができる。特に、請求項５に記載した発明のように、透水性アスファルトや透水性コンクリートを採用できる。上記透水性のある床層を設けることにより、床面で結露が生じたとしても表面で水分が滞留することはなくなり、スリップ事故等を防止できる。また、床面全域に通気性をもたせることにより、大量の空気を換気できるにもかかわらず、室内空気の流動速度をきわめておそく設定できる。また、相対湿度が高く、結露が生じやすい室内下部の空気を、床面全体から排出することが可能となる。すなわち、室内空間の相対湿度が高くなる部分の空気を優先的に排出することが可能となる。このため、従来にない結露防止効果を発揮させることが可能となる。
【００１９】
透水性アスファルトは、粘度の高い改質アスファルトに、粗骨材を通常より高い割合で配合して、空隙率を高く設定したものである。通常は、排水舗装等に使用されるものである。本願発明では、上記砕石層の上に上記透水性アスファルトを所定厚みで積層することにより、上記床層を構成できる。上記透水性コンクリートも、セメントベースに粗骨材の配合割合を高くして構成された多孔質体である。
【００２０】
上記床層を採用することにより、通気性あるいは透水性を確保しながら、凹凸のない床面を構成できる。上記床層の厚みは、使用目的や要求される床強度に応じて設定できる。たとえば、３〜１０ｃｍの厚みを採用するのが好ましい。上記床層も１層に限定されることはなく、通気性や透水性のある複数の層から構成することができる。
【００２１】
上記表面層は、通気性を確保して水蒸気を床層及び砕石層へ流動させるとともに、床部の断熱性や歩行性を確保するために設けられる。結露防止効果を高めるために、室内床面の全面に上記表面層を設けるのが好ましい。
【００２２】
また、上記表面層の通気性を調節することにより、水蒸気の処理量をコントロールすることも可能となる。上記表面層として、ニードルパンチカーペット等のカーペット類や、通気性のあるコルク板、パンチングメタル等を採用できる。また、上記表面層も１層に限定されることはなく、通気性のあるスポンジ材料から形成されたクッション層と摩耗強度の高いカーペット層とから上記表面層を構成できる。また、上記表面層を、着脱可能に設けることにより、建物の使用目的や発生蒸気量に応じて種々の材料を使い分けることも可能となる。
【００２３】
上記空気流動処理手段は、上記砕石層内の空気を流動させて処理できるように構成される。砕石層内の空気を流動させるものであれば、強制流動させる構造のみならず、自然流動させる構造を採用することもできる。また、空気を処理する手法として、請求項２に記載した発明のように、上記砕石層内の空気を建物外へ排気し、又は除湿して循環流動させるように構成することができる。
【００２４】
強制流動させる構造として、モータで回転させるファン等を採用できる。たとえば、上記砕石層から外気に連通する排出口を設け、この排出口に上記ファンを設けることができる。また、上記排出口に、ヒータ等の加熱手段を設けて、排出口近傍の空気を加熱することにより流動させて、排気するように構成することもできる。
【００２５】
一方、自然流動させる手段として、上記砕石層の複数箇所に外気に連通する排気口を設け、風や温度による自然対流を利用して排気するように構成してもよい。
【００２６】
砕石層内の空気を処理する方法として、上記のように外気へ排出する手法のみならず、除湿して砕石層内を循環流動するように構成してもよい。除湿する手法も特に限定されることはなく、ヒータ等によって加熱したり、種々の除湿装置を採用できる。
【００２７】
砕石層内の空気の流動性を高めるため、請求項３に記載した発明のように、上記空気流動処理手段を、上記砕石層内の空気を流入させるとともに、流動させる配管を備えて構成することができる。
【００２８】
上記配管として、種々のパイプを採用できる。たとえば、管壁に多数の空気流通孔を有するパイプを採用することができる。上記パイプを砕石層に埋設し、端部からパイプ内の空気をファン等で吸引すると、砕石層内の空気が上記空気流通孔からパイプ内に流入させられるとともに、パイプ内を流動させられる。これにより、砕石層内の空気を強制流動させることができる。
【００２９】
上記配管内の空気を強制流動させる手段も特に限定されることはない。たとえば、上記空気流動処理手段を、上記配管内の空気を強制流動させるファンを備えて構成することができる。また、上記パイプの一端を上方に開口した状態で外気に連通させ、バイプの端部近傍を加熱することにより、パイプ内の空気を強制流動させて排出することもできる。
【００３０】
上記配管は、建物床の全域に設けることもできるし、一部に設けることもできる。たとえば、請求項１０に記載した発明のように、上記配管を、上記建物の内壁に沿って設けることもできる。これにより、窓部や壁内面における結露を効果的に防止することができる。
【００３１】
湿気が多い地盤に建てられた建物や、常時居室として用いられる建物に本願発明を適用する場合、請求項４に記載した発明のように、上記砕石層の下に、防水層を設けるのが好ましい。上記防水層を設けることにより、地面からの湿気が室内空間に逆流するのを防止できるとともに、本願発明に係る床構造の効果を高めることができる。上記防水層として、一般的な基礎構造としての防湿層を採用することができる。たとえば、防湿性の高いコンクリート層を防水層として採用したり、防湿シートや防水シートを設けることにより、上記防水層を構成することができる。
【００３２】
請求項６に記載した発明のように、上記配管を、上記砕石層及び／又は上記配管内で凝縮した水分を流動させるとともに、建物外へ排出できるように構成するのが好ましい。
【００３３】
砕石層は、地面より下に設けられることが多く、自然状態においては室内より低温に保持されることが多い。したがって、上記砕石層内に流入した空気中の蒸気の一部は凝縮させられる。また、砕石層を冷却すると砕石層内にある空気中の蒸気が強制凝縮させられる。これにより、砕石層に流入した空気量が減少し、砕石層内に空気の流動を促進することが可能となる。
【００３４】
たとえば、配管を構成するパイプの周壁上部に孔部を設けて砕石層内から空気や凝縮した水分を流入させる一方、パイプの底部において凝縮させられた水分を流動させて排出口へ導くように構成することができる。
【００３５】
請求項７に記載した発明のように、上記空気流動処理手段を、上記砕石層内を流れる空気を加熱又は冷却できるように構成することができる。
【００３６】
砕石層内を流れる空気を加熱するか冷却するかは、季節や結露の態様によって選択するのが好ましい。たとえば、水蒸気を砕石層内で凝縮を促進させて水分として処理する場合には、配管内を流れる空気を冷却するのが好ましい。一方、砕石層内の水蒸気を気体として排出する場合には、配管内の空気を加熱するのが好ましい。また、対象となる建物空間の利用目的、処理蒸気量等に応じて選択するのが好ましい。なお、配管を設ける場合は、配管内の空気を加熱又は冷却するように構成することもできる。
【００３７】
さらに、請求項９に記載した発明のように、上記空気流動処理手段を、上記配管内を流れる空気を除湿する除湿装置を備えて構成することができる。この場合、除湿した空気は、配管内を循環流動させることができる。
【００３８】
上記配管を設ける部位も特に限定されることはない。蒸気発生量や建物空間の形態、広さ等に応じて設定できる。たとえば、請求項１０に記載した発明のように、上記配管を、上記建物の壁に沿って設けることができる。これにより、壁面に発生する結露を防止することができる。
【００３９】
請求項１１に記載した発明は、建物内側の結露を防止する結露防止方法であって、建物内の空気を通気性のある床部を介して下方に設けた砕石層に流動させ、上記砕石層に流入した空気を建物外へ排出し、又は除湿して循環流動させる、建物の結露防止方法に係るものである。
【００４０】
請求項１２に記載した発明は、上記砕石層内で、空気中の蒸気を凝縮させて除湿するように構成した建物の結露防止方法に関するものである。
【００４１】
請求項１３に記載した発明は、上記砕石層内に配管を設け、この配管に砕石層内の空気を流入させるとともに流動させるように構成したものである。
【００４２】
請求項１４に記載した発明は、上記砕石層内の空気を、加熱又は冷却するように構成したものである。
【発明の効果】
【００４３】
多人数が利用する場合であっても、室内の結露を効果的に防止できる。
【図面の簡単な説明】
【００４４】
【図１】本願発明に係る床構造の第１の実施形態を示す断面図である。
【図２】図１におけるＩＩ−ＩＩ線に沿う断面図である。
【図３】図２におけるＩＩＩ−ＩＩＩ線に沿う要部拡大断面図である。
【図４】図３におけるＩＶ−ＩＶ線に沿う拡大断面図であり、本願発明に係る床構造を模式的に示す図である。
【図５】本願発明に係る床構造の第２の実施形態を示す断面図である。
【図６】図５におけるＶＩ−ＶＩ線に沿う断面図である。
【図７】本願発明に係る床構造の第３の実施形態を示す断面図である。
【発明を実施するための形態】
【００４５】
以下、本願発明の実施形態を、図に基づいて具体的に説明する。
【００４６】
図１に示すように、本実施形態に係る床構造は、地面６に立設された建物１の床１８に適用される。なお、実施形態は、地面上に立設された建物１の１階部分の空間Ｒの床構造に本願発明を適用したものであるが、２階以上あるいは地下空間の床構造に適用することもできる。
【００４７】
建物１は、一部が地面６から露出して設けられる基礎５と、この基礎５上に設けられる柱ないし壁部３と、屋根部２とを備えて構成される。上記壁部３には、窓部４が設けられている。
【００４８】
上記基礎５は、コンクリートから形成されており、下端部にフーチングを備えて構成されている。なお、基礎構造の種類は特に限定されることはなく、建物等に応じて種々の基礎構造を採用することができる。
【００４９】
本実施形態に係る床構造は、上記基礎５の内側において、所定深さに掘削して形成される床下の空間に設けられる。上記床構造は、掘削された空間の地盤面に積層形成された砕石層１０と、上記砕石層１０の上に積層形成された床層１１と、上記床層１１の上に積層された表面層１２，１３とを備えて構成される。
【００５０】
上記砕石層１０は、たとえば、平均粒径が２０ｍｍ〜６０ｍｍの砕石（呼び名Ｓ２０〜Ｓ６０号砕石）を、約２０ｃｍの厚みで積層することにより形成することができる。なお、上記砕石の種類や粒度は特に限定されることはなく、床１８に作用する力等に応じて設定することができる。また、通気性を確保しつつ床面に作用する力を確保するため、複数の粒度の砕石や砂を混合することもできる。また、砕石層の下に砂層を設けることもできる。
【００５１】
上記床層１１は、透水性アスファルトから形成されている。本実施形態に係る透水性アスファルトは、通常、道路舗装用に開発されたものであり、骨材と粘度の高いアスファルトとを混合して形成される。採用できる骨材は特に限定されることはなく、砕石等の粗骨材や砂等の細骨材、あるいはこれらを混合したものを採用できる。本実施形態では、床層の空隙率が５％〜２０％となるように、上記骨材及び上記アスファルトが配合されている。なお、上記空隙率は特に限定されることはなく、建物の使用目的や発生する蒸気量に応じて設定することができる。また、床層として透水性コンクリートを採用することもできる。
【００５２】
本実施形態に係る上記床層は、約５０ｍｍの厚みで形成されている。なお、上記床層の厚みも特に限定されることはなく、床１８に作用する力や蒸気発生量等に応じて設定することができる。
【００５３】
上記表面層１２，１３は、通気性あるいは透水性を有する多孔質材料から形成される。本実施形態では、空間Ｒに面した表面層１３にニードルパンチカーペットを採用するとともに、床層側の表面層１２に多孔質スポンジシートを採用している。上記ニードルパンチカーペットは、耐摩耗性が高い。また、上記スポンジシートは、断熱性に優れる。上記表面層１２，１３を採用することにより、通気性あるいは透水性を確保しながら、高い断熱性を得ることができる。
【００５４】
本実施形態に係る砕石層１０には、内部に配管１４が設けられている。図２に示すように、上記配管１４は、ほぼ床部の全域を通過するように配置されている。
【００５５】
上記配管１４の両端部１４ａ，１４ｂは、処理装置１５に接続されている。上記配管１４の一方の端部１４ａは、上記処理装置１５内の排気ファン１５ａに接続されている。上記配管の他方の端部１４ｂは、外気から導入される空気を加熱又は冷却できる空調装置１５ｂに接続されている。
【００５６】
上記排気ファン１５ａ及び空調装置１５ｂを作動させると、上記配管１４内の空気が吸引されて上記排気ファン１５ａから排出されるとともに、上記空調装置１５ｂによって加熱又は冷却された空気が配管１４内に導入されて流動させられる。
【００５７】
上記配管１４は、種々の材料を用いて構成することができる。たとえば、硬質塩化ビニル製のパイプを用いて上記配管１４を構成することができる。図３及び図４に示すように、上記配管１４の周壁には、底部を除いて多数の孔部１６が設けられている。上記孔部１６の大きさは、上記砕石層１０内の空気及び水分を導入できるとともに、砕石が流入しない大きさに設定されている。
【００５８】
上記排気ファン１５ａを作動させることにより、配管内の気圧が低下して、上記孔部１６から砕石層１０内の空気が配管１４内に導入されて、上記空調装置１５を介して配管１４から排出される。
【００５９】
一方、上記配管１４の底部１４ａには、上記孔部１６は設けられていない。上記配管１４は、上記孔部１６から管内に導入された水分、あるいは配管１４内で凝縮した水分が排気側へ流動するように経路の全体にテーパが設定されている。これにより、上記砕石層１０内で水分が上記配管内を流動させられる。図３に示すように、上記配管１４の排気側端部には、水分排出口１７が設けられており、上記配管内で流動させられた水分が、上記排出口１７を介して建物の外部に排出される。
【００６０】
上記空調装置１５ｂによって、上記配管内に導入される空気を加熱すると、上記配管内の温度が上昇して、上記砕石層１０等において凝縮させられた水分が再度気化させられて、上記排気ファン１５ａから排出される。一方、上記空調装置１５ｂによって、上記配管内に導入される空気を冷却すると、上記配管内に導入された空気中の水蒸気を凝縮させるとともに、上記配管１４の周囲の砕石層を冷却し、水蒸気の凝縮を促進することができる。このため、上記配管１４の底部を流動させて水分として排出することができる。
【００６１】
上記配管１４に導入する空気（外気）を加熱するか冷却するかは、発生する蒸気量、季節、建物の使用目的等に応じて設定することができる。
【００６２】
上記構成の床構造においては、上記建物１内の空間Ｒの空気を床面全体から上記砕石層１０に導くことができる。通常、上記空間Ｒの床１８の近傍は温度が低下しており、窓部や壁内面等に結露が生じやすい。本実施形態においては、空間Ｒの空気が下方に向かって流動させられ、床面全体から排出される。このため、相対湿度の高い空気を、床面を介して排出することが可能となり、壁面等の結露を効果的に防止できる。すなわち、床面を利用して室内空気を効果的に換気することができるのである。
【００６３】
また、本実施形態では、断熱性の高い２層構造の表面層を設けている。このため、床表面において結露が生じることはない。また、結露が生じた場合であっても、表面層１２，１３、及び床層１１が透水性を有しているため、発生した結露は、床１８の表面や表面層１２，１３に滞留することはない。また、排気ファン１５ａによって、砕石層１０内が負圧に保持されるため、砕石層内の湿度の高い空気が空間Ｒ内へ逆流することもない。
【００６４】
さらに、上記床面全体から空気を吸引することができるように構成しているため、室内空気の流動速度は非常に小さく、また、上記表面層１２，１３によって室内の断熱性が保持されているため、冬期において室内の温度が大きく低下することもない。
【００６５】
図５及び図６に、本願発明の第２の実施形態を示す。この実施形態は、本願発明に係る床構造を建物２０１の壁部２０３に沿って設けたものである。なお、第２の実施形態に係る床構造の構成は、第１の実施形態と同様であるので説明は省略する。
【００６６】
図６に示すように、第２の実施形態においては、配管２１４を埋設した砕石層２１０が建物２０１の内壁に沿って設けられている。一方、床層２１１及び表面層２１２，２１３は、床面の全域に設けられている。
【００６７】
冬期における結露は、壁部の下方内面において生じることが多い。本実施形態では、上記砕石層２１０及び上記配管２１４を、壁部に沿って設けることにより、壁部において生じる結露を効果的に防止することができる。一方、床層２１１及び表面層２１２，２１３を床面の全域に設けているため、空間Ｒの空気を効果的に砕石層２１０に導くことができる。
【００６８】
図７に本願発明の第３実施形態を示す。この実施形態は、本願発明の床構造の下方に防水層３２０を設けたものである。なお、他の構成は、第１の実施形態と同様であるので説明は省略する。
【００６９】
上記防水層３２０は、建物内の地盤面３０６ａに、防水性の高いコンクリートを厚み約５ｃｍで積層することにより形成されている。上記防水層３２０を設けることにより、地盤面からの湿気や水分が砕石層３１０に流入するのを阻止することができる。
【００７０】
本願発明は、上述の実施形態に限定されることはない。実施形態では、本願発明に係る床構造を地盤面上に設けられる１階部分の空間の床構造に採用したが、２階以上の階の部屋や、地下室の床構造に適用することができる。２階以上の階の部屋に適用する場合には、図７に示す第３の実施形態の防水層を設けたり、防水性のある荒床等を設けるのが好ましい。
【産業上の利用可能性】
【００７１】
建物内の結露を防止できる。
【符号の説明】
【００７２】
１  建物
１０  砕石層
１１  床層
１２  表面層
１３  表面層
１５  空気流動処理手段
【図１】
2011252270.tif 000003
【図２】
2011252270.tif 000004
【図３】
2011252270.tif 000005
【図４】
2011252270.tif 000006
【図５】
2011252270.tif 000007
【図６】
2011252270.tif 000008
【図７】
2011252270.tif 000009